(57)【要約】【課題】車両用エアコンの消費エネルギーの低減を図るとともに、より快適に車両用エアコンの切替制御を行う。【解決手段】車両が停車した地点を目的地候補地点として記憶手段に記憶させ、車両が記憶手段に記憶された特定の目的地候補地点までの距離が一定値以内となる一定領域に位置することを判定した場合、車両用エアコンの運転状態を停止状態に切り替え（Ｓ２０４）、車両用エアコンの運転状態を停止状態に切り替えた後、車両が特定の目的地候補地点周辺から逸脱したことを推定した場合、車両用エアコンの運転状態を通常状態に切り戻す（Ｓ２０８）。【選択図】図３
2010264938.tif 000002
【特許請求の範囲】
【請求項１】
車両に搭載され、車両用エアコンの運転制御を行うエアコン制御装置であって、
前記車両の現在位置を特定する現在位置特定手段と、
前記車両の現在位置に基づいて、前記車両が、目標とする地点までの間隔が一定値以内となる一定領域内に位置することを判定した場合、前記車両用エアコンの運転状態を通常状態よりも消費電力の少ない低消費電力状態に切り替える第１の運転状態切替手段と、
前記第１の運転状態切替手段により前記車両用エアコンの運転状態が低消費電力状態に切り替えられた後、前記車両の行き先が、前記目標とする地点と異なることを推定した場合、前記車両用エアコンの運転状態を低消費電力状態から通常状態に切り戻す第２の運転状態切替手段と、を備えたことを特徴とするエアコン制御装置。
【請求項２】
前記車両の現在位置から目的地に至る案内経路を探索する経路探索手段を備え、
前記第２の運転状態切替手段は、前記車両が、前記案内経路から離脱したことを判定した場合、前記車両の行き先が、前記目標とする地点と異なると推定することを特徴とする請求項１に記載のエアコン制御装置。
【請求項３】
前記車両の現在位置から目的地に至る案内経路を探索する経路探索手段と、
前記案内経路に従って経路案内を行う経路案内手段と、を備え、
前記第２の運転状態切替手段は、前記経路案内の中止を指示する操作が行われたことを判定した場合、前記車両の行き先が、前記目標とする地点と異なると推定することを特徴とする請求項１に記載のエアコン制御装置。
【請求項４】
前記車両が停車したことを特定するための車両停車特定情報を取得する車両停車特定情報取得手段と、
前記車両の現在位置および前記車両停車特定情報に基づいて前記車両が停車した地点を特定し、当該車両が停車した地点を目的地候補地点として記憶手段に記憶させる目的地候補地点記憶手段と、を備え、
前記第１の運転状態切替手段は、前記車両の現在位置および前記記憶手段に記憶された前記目的地候補地点に基づいて、前記車両が、特定の目的地候補地点までの間隔が一定値以内となる一定領域内に位置することを判定した場合、前記車両用エアコンの運転状態を通常状態よりも消費電力の少ない低消費電力状態に切り替え、
前記第２の運転状態切替手段は、前記車両の行き先が、前記特定の目的地候補地点と異なることを推定した場合、前記車両用エアコンの運転状態を低消費電力状態から通常状態に切り戻すことを特徴とする請求項１に記載のエアコン制御装置。
【請求項５】
前記第２の運転状態切替手段は、前記車両が、前記特定の目的地候補地点までの間隔が一定値以内となる一定領域から逸脱したことを推定した場合、前記車両の行き先が、前記特定の目的地候補地点と異なると推定することを特徴とする請求項４に記載のエアコン制御装置。
【請求項６】
前記第２の運転状態切替手段は、前記車両が、前記特定の目的地候補地点から離れる方向に走行していることを判定した場合、前記車両の行き先が、前記特定の目的地候補地点と異なると推定することを特徴とする請求項４に記載のエアコン制御装置。
【請求項７】
前記第１の運転状態切替手段は、前記第２の運転状態切替手段により前記車両用エアコンの運転状態が低消費電力状態から通常状態に切り戻された後、再度、前記車両が、特定の目的地候補地点までの間隔が一定値以内となる一定領域内に位置することを判定した場合、前記車両用エアコンの運転状態を通常状態よりも消費電力の少ない低消費電力状態に切り替えることを特徴とする請求項４ないし６のいずれか１つに記載のエアコン制御装置。
【請求項８】
前記第１の運転状態切替手段は、前記車両が、前記目標とする地点までの間隔が一定値以内となる一定領域内に位置することを判定した場合、前記車両用エアコンのエアコンスイッチをオンして送風している状態から当該エアコンスイッチをオフして送風している状態に切り替え、
前記第２の運転状態切替手段は、前記車両用エアコンのエアコンスイッチをオフして送風している状態から当該エアコンスイッチをオンして送風している状態に切り替えることを特徴とする請求項１ないし７のいずれか１つに記載のエアコン制御装置。
【請求項９】
前記第１の運転状態切替手段は、前記車両が、前記目標とする地点までの間隔が一定値以内となる一定領域内に位置することを判定した場合、前記車両用エアコンのエアコンスイッチをオフして送風している状態から当該エアコンスイッチをオフして送風を停止している状態に切り替え、
前記第２の運転状態切替手段は、前記車両用エアコンのエアコンスイッチをオフして送風を停止している状態から当該エアコンスイッチをオンして送風している状態に切り替えることを特徴とする請求項１ないし７のいずれか１つに記載のエアコン制御装置。
【請求項１０】
前記第１の運転状態切替手段は、前記目標とする地点までの距離が一定値以内となる一定領域内に位置することを判定した場合、前記車両用エアコンの運転状態を通常状態よりも消費電力の少ない低消費電力状態に切り替えることを特徴とする請求項１ないし９のいずれか１つに記載のエアコン制御装置。
【請求項１１】
前記第１の運転状態切替手段は、前記目標とする地点までの所要時間が一定値以内となる一定領域内に位置することを判定した場合、前記車両用エアコンの運転状態を通常状態よりも消費電力の少ない低消費電力状態に切り替えることを特徴とする請求項１ないし９のいずれか１つに記載のエアコン制御装置。
【発明の詳細な説明】
【技術分野】
【０００１】
本発明は、車両用エアコンの運転制御を行うエアコン制御装置に関するものである。
【背景技術】
【０００２】
この種の装置として、出発地から目的地までの探索経路を探索し、自車が目的地に到着するまでの所定のタイミングで運転モードの切替条件が成立したことを判定した場合、エアコンを標準モードから省エネモードに切り替えるようにしてエアコンの消費エネルギーを低減するようにしたものがある（例えば、特許文献１参照）。
【先行技術文献】
【特許文献】
【０００３】
【特許文献１】特開２００７−２６９２７５号公報
【発明の概要】
【発明が解決しようとする課題】
【０００４】
上記特許文献１に記載されたような装置は、走行途中で目的地が変更となり先に設定した目的地を通過して別の目的地に向かうような場合、エアコンの運転モードが元の標準モードに切り替わられないため、快適性が損なわれてしまうといった問題がある。
【０００５】
本発明は上記問題に鑑みたもので、車両用エアコンの消費エネルギーの低減を図るとともに、より快適に車両用エアコンの切替制御を行うことを目的とする。
【課題を解決するための手段】
【０００６】
上記目的を達成するため、請求項１に記載の発明は、車両に搭載され、車両用エアコンの運転制御を行うエアコン制御装置であって、車両の現在位置を特定する現在位置特定手段と、車両の現在位置に基づいて、車両が、目標とする地点までの間隔が一定値以内となる一定領域内に位置することを判定した場合、車両用エアコンの運転状態を通常状態よりも消費電力の少ない低消費電力状態に切り替える第１の運転状態切替手段と、第１の運転状態切替手段により車両用エアコンの運転状態が低消費電力状態に切り替えられた後、車両の行き先が、目標とする地点と異なることを推定した場合、車両用エアコンの運転状態を低消費電力状態から通常状態に切り戻す第２の運転状態切替手段と、を備えたことを特徴としている。
【０００７】
このような構成によれば、車両の現在位置に基づいて、車両が、目標とする地点までの間隔が一定値以内となる一定領域内に位置することを判定した場合、車両用エアコンの運転状態が通常状態よりも消費電力の少ない低消費電力状態に切り替えられるので、車両用エアコンの消費エネルギーの低減を図ることができる。更に、車両用エアコンの運転状態が低消費電力状態に切り替えられた後、車両の行き先が、目標とする地点と異なることを推定した場合、車両用エアコンの運転状態が低消費電力状態から通常状態に切り戻されるので、例えば、走行途中で目的地が変更となり先に設定した目的地を通過して別の目的地に向かうような場合であっても、車両用エアコンの運転状態を通常状態に戻す操作が不要であり、より快適に車両用エアコンの切替制御を行うことができる。
【０００８】
なお、第２の運転状態切替手段は、請求項２に記載の発明のように、車両が、案内経路から離脱したことを判定した場合に、車両の行き先が、目標とする地点と異なると推定することができ、また、請求項３に記載の発明のように、経路案内の中止を指示する操作が行われたことを判定した場合に、車両の行き先が、目標とする地点と異なると推定することもできる。
【０００９】
また、請求項４に記載の発明は、車両が停車したことを特定するための車両停車特定情報を取得する車両停車特定情報取得手段と、車両の現在位置および車両停車特定情報に基づいて車両が停車した地点を特定し、当該車両が停車した地点を目的地候補地点として記憶手段に記憶させる停車地点記憶手段と、を備え、第１の運転状態切替手段は、車両の現在位置および記憶手段に記憶された目的地候補地点に基づいて、車両が、特定の目的地候補地点までの間隔が一定値以内となる一定領域内に位置することを判定した場合、車両用エアコンの運転状態を通常状態よりも消費電力の少ない低消費電力状態に切り替え、第２の運転状態切替手段は、車両の行き先が、特定の目的地候補地点と異なることを推定した場合、車両用エアコンの運転状態を低消費電力状態から通常状態に切り戻すことを特徴としている。
【００１０】
このような構成によれば、車両が停車した地点を目的地候補地点として記憶手段に記憶させ、車両の現在位置および記憶手段に記憶された目的地候補地点に基づいて、車両が、特定の目的地候補地点までの間隔が一定値以内となる一定領域内に位置することを判定した場合に、車両用エアコンの運転状態が通常状態よりも消費電力の少ない低消費電力状態に切り替えられるので、車両用エアコンの消費エネルギーの低減を図ることができる。更に、車両の行き先が、特定の目的地候補地点と異なることを推定した場合に、車両用エアコンの運転状態が低消費電力状態から通常状態に切り戻されるので、目的地を設定するための操作を必要とすることなく、車両用エアコンの消費エネルギーの低減を図りつつ、より快適に車両用エアコンの切替制御を行うことができる。
【００１１】
なお、第２の運転状態切替手段は、請求項５に記載の発明のように、車両が、特定の目的地候補地点までの間隔が一定値以内となる一定領域から逸脱したことを推定した場合、車両の行き先が、特定の目的地候補地点と異なると推定することができ、また、請求項６に記載の発明のように、車両が、特定の目的地候補地点から離れる方向に走行していることを判定した場合、車両の行き先が、特定の目的地候補地点と異なると推定することもできる。
【００１２】
また、請求項７に記載の発明は、第１の運転状態切替手段は、第２の運転状態切替手段により車両用エアコンの運転状態が低消費電力状態から通常状態に切り戻された後、再度、車両が、特定の目的地候補地点までの間隔が一定値以内となる一定領域内に位置することを判定した場合、車両用エアコンの運転状態を通常状態よりも消費電力の少ない低消費電力状態に切り替えることを特徴としている。
【００１３】
このような構成によれば、車両用エアコンの運転状態が低消費電力状態から通常状態に切り戻された後、再度、車両が、特定の目的地候補地点までの間隔が一定値以内となる一定領域内に位置することを判定した場合、車両用エアコンの運転状態を通常状態よりも消費電力の少ない低消費電力状態に切り替えられるので、運転者の操作を必要とすることなく、車両用エアコンの消費エネルギーを低減することが可能である。
【００１４】
また、請求項８に記載の発明は、第１の運転状態切替手段は、車両が、目標とする地点までの間隔が一定値以内となる一定領域内に位置することを判定した場合、車両用エアコンのエアコンスイッチをオンして送風している状態から当該エアコンスイッチをオフして送風している状態に切り替え、第２の運転状態切替手段は、車両用エアコンのエアコンスイッチをオフして送風している状態から当該エアコンスイッチをオンして送風している状態に切り替えることを特徴としている。
【００１５】
このような構成によれば、車両が、目標とする地点までの間隔が一定値以内となる一定領域内に位置することを判定した場合、車両用エアコンのエアコンスイッチをオンして送風している状態から当該エアコンスイッチをオフして送風している状態に切り替えられる。エアコンスイッチをオフして送風している状態に切り替えても、しばらくの間、冷風が吹き出されるため、車両用エアコンの消費電力の低減を図りつつ、比較的長い時間、車室内の快適性を維持することが可能である。
【００１６】
また、請求項９に記載の発明は、第１の運転状態切替手段は、車両が、目標とする地点までの間隔が一定値以内となる一定領域内に位置することを判定した場合、車両用エアコンのエアコンスイッチをオフして送風している状態から当該エアコンスイッチをオフして送風を停止している状態に切り替え、第２の運転状態切替手段は、車両用エアコンのエアコンスイッチをオフして送風を停止している状態から当該エアコンスイッチをオンして送風している状態に切り替えることを特徴としている。
【００１７】
このような構成によれば、車両が、目標とする地点までの間隔が一定値以内となる一定領域内に位置することを判定した場合、車両用エアコンのエアコンスイッチをオフして送風している状態から当該エアコンスイッチをオフして送風を停止している状態に切り替えられる。エアコンスイッチをオフして送風を停止している状態にしても、しばらくの間、車室内の温度は維持されるため、車両用エアコンの消費電力の低減を図りつつ、比較的長い時間、車室内の快適性を維持することが可能である。
【００１８】
また、請求項１０に記載の発明のように、第１の運転状態切替手段は、目標とする地点までの距離が一定値以内となる一定領域内に位置することを判定した場合、車両用エアコンの運転状態を通常状態よりも消費電力の少ない低消費電力状態に切り替えることができる。
【００１９】
また、請求項１１に記載の発明のように、第１の運転状態切替手段は、目標とする地点までの所要時間が一定値以内となる一定領域内に位置することを判定した場合、車両用エアコンの運転状態を通常状態よりも消費電力の少ない低消費電力状態に切り替えることもできる。
【図面の簡単な説明】
【００２０】
【図１】本発明の第１実施形態に係るエアコン制御装置の構成を示す図である。
【図２】制御部による目的地候補記憶処理のフローチャートである。
【図３】近辺マップについて説明するための図である。
【図４】制御部による運転状態切替処理のフローチャートである。
【図５】車両の目的地候補地点周辺からの逸脱判定について説明するための図である。
【図６】変形例について説明するための図である。
【発明を実施するための形態】
【００２１】
（第１実施形態）
本発明の第１実施形態に係るエアコン制御装置の構成を図１に示す。本エアコン制御装置は、車両に搭載され、車両用エアコン２の運転制御を行うものであり、ナビゲーション装置１として構成されている。ナビゲーション装置１は、車両用エアコン２のエアコン制御部２０と接続ケーブル３を介して接続されている。
【００２２】
ナビゲーション装置１は、位置検出器１０、地図データ取得部１１、表示装置１２、操作部１３および制御部１４を備えている。
【００２３】
位置検出器１０は、地磁気センサ、ジャイロスコープ、距離センサおよびＧＰＳ受信機等（いずれも図示せず）を有しており、これらから入力される現在位置を特定するための情報を制御部１５に出力する。
【００２４】
地図データ取得部１１は、ハードディスクドライブ、ＤＶＤ、ＣＤ等の記憶媒体に記憶された地図データを取得するための装置である。地図データには、各リンクの識別情報、距離、道路種別、道路幅員、道路形状、道路名、車線数等を表す道路データ、位置検出精度を向上するためのいわゆるマップマッチングデータ、川、湖、海、鉄道、施設などの位置、形状、名称を表す背景データ、各地の施設の名称、所在位置、施設種類、電話番号等を示す施設データ等が含まれる。
【００２５】
表示装置１２は、液晶等のディスプレイを有し、制御部１４より入力される映像信号に応じた映像をディスプレイに表示させる。
【００２６】
操作部１３は、表示装置１２のディスプレイの前面に重ねて設けられたタッチスイッチ、表示装置１２のディスプレイの周囲に配置されたメカニカルスイッチ等により構成され、ユーザのスイッチ操作に応じた信号を制御部１４へ出力する。
【００２７】
制御部１４は、ＣＰＵ、ＲＡＭ、ＲＯＭ、ハードディスクドライブ、Ｉ／Ｏ等を備えたコンピュータとして構成されており、ＣＰＵは、ＲＯＭに記憶されたプログラムに従って各種処理を実施する。
【００２８】
制御部１４の処理としては、位置検出器１０より入力される現在位置を特定するための情報に基づいて自車位置を特定する自車位置特定処理、ユーザ操作に応じて目的地を検索する目的地検索処理、出発地から目的地に至る案内経路を探索する経路探索処理、案内経路に従って経路案内を行う経路案内処理、車両が案内経路から離脱したか否かを判定する離脱判定処理、操作部１３に対するエアコン操作に応じた信号を車両用エアコン２へ送出して車両用エアコン２を制御するエアコン制御処理等がある。
【００２９】
エアコン制御部２０は、ナビゲーション装置１より入力されるエアコン操作に応じた信号に応じて車室内の空調制御を行う。具体的には、設定温度調整スイッチ、吹き出し風量調整スイッチ、エアコン（Ａ／Ｃ）スイッチ、内外気切り替えスイッチ等の各スイッチ操作に応じた空調制御を行う。
【００３０】
エアコン制御部２０は、吹き出し風量調整スイッチの操作に応じた信号に応じて送風機（図示せず）を制御することにより送風（吹き出し風量）を調整し、エアコン（Ａ／Ｃ）スイッチの操作に応じてコンプレッサを制御し、エアコンのオンオフ切り替えを行う。
【００３１】
本実施形態において、ナビゲーション装置１の制御部１４は、車両の自車位置および車両停車特定情報に基づいて車両が停車した地点を特定し、この車両が停車した地点を、次回以降の走行時における目的地候補としてハードディスクドライブに記憶させる目的地候補記憶処理を実施する。
【００３２】
図２に、この目的地候補記憶処理のフローチャートを示す。車両のイグニッションスイッチがオン状態になると、本ナビゲーション装置１は動作状態となり、制御部１４は、図２に示す処理を実施する。
【００３３】
まず、車両停車特定情報を取得する（Ｓ１００）。本実施形態では、車両停車特定情報として車速情報を取得する。
【００３４】
次に、目的地条件を満たすか否かを判定する（Ｓ１０２）。本実施形態では、Ｓ１００にて取得した車速情報に基づいて車両が停車した状態（時速０キロメートルの状態）が一定時間（例えば、５分）以上継続した場合に、目的地条件を満たすと判定する。
【００３５】
ここで、車両が停車した状態が一定時間以上継続していない場合、Ｓ１０２の判定はＮＯとなり、Ｓ１００に戻る。また、車両が停車した状態が一定時間以上継続すると、Ｓ１０２の判定はＹＥＳとなり、車両が停車した地点の位置情報（緯度経度情報）を目的地候補地点の位置情報としてハードディスクドライブに記憶させる（Ｓ１０４）。具体的には、図３に示すような、目的地候補地点Ａからの距離が一定値以内となる一定領域を規定した近辺マップを作成し、この近辺マップをハードディスクドライブに記憶させ、Ｓ１００へ戻る。
【００３６】
上記した目的地候補記憶処理により、順次、車両が停車した地点の位置情報が目的地候補地点の位置情報としてハードディスクドライブに記憶される。
【００３７】
また、本実施形態において、制御部１４は、車両がハードディスクドライブに記憶された特定の目的地候補地点に近づくと、この特定の目的地候補地点に到達する手前で車両用エアコン２の運転状態を通常状態から停止状態に切り替え、更に、車両用エアコン２の運転状態を通常状態から停止状態に切り替えられた後、車両の目的地が特定の目的地候補地点でないことを推定した場合、車両用エアコン２の運転状態を通常状態に切り替える運転状態切替処理を実施する。
【００３８】
図４に、この運転状態切替処理のフローチャートを示す。車両のイグニッションスイッチがオン状態となり、本ナビゲーション装置１が動作状態になると、制御部１４は、図２に示した目的地候補記憶処理と並行して、図４に示す処理を周期的に実施する。
【００３９】
まず、車両の最も近くに存在する目的地候補地点を特定する（Ｓ２００）。具体的には、ハードディスクドライブから車両との直線距離が最も短い目的地候補地点を抽出する。
【００４０】
次に、車両が目的地候補地点周辺に到達したか否かを判定する（Ｓ２０２）。本実施形態では、車両が、Ｓ２００にて特定した目的地候補地点を目標とする地点として、この特定した目的地候補地点からの直線距離が一定値以内となる一定領域に位置するか否かに基づいて車両が目的地候補地点周辺に到達したか否かを判定する。具体的には、図３に示した近辺マップを用いて車両が目的地候補地点周辺に到達したか否かを判定する。
【００４１】
車両が目的地候補地点周辺に到達してない場合、Ｓ２０２の判定はＮＯとなり、Ｓ２０２の判定を繰り返し実施する。
【００４２】
また、車両が目的地候補地点周辺に到達すると、Ｓ２０２の判定はＹＥＳとなり、車両用エアコンの運転を停止させる（Ｓ２０４）。具体的には、車両用エアコン２の運転停止を指示する信号をエアコン制御部２０へ送出し、運転状態を停止状態とする。これにより、車両用エアコン２のエアコンスイッチがオフして送風も停止する。
【００４３】
次に、車両が目的地候補地点周辺から逸脱したか否かを判定する（Ｓ２０６）。本実施形態では、図５に示すように、車両が、目的地候補地点Ａからの直線距離が一定値以内となる一定領域から逸脱したことを判定した場合に、車両が目的地候補地点周辺から逸脱したと判定する。
【００４４】
ここで、車両が目的地候補地点周辺から逸脱してない場合、Ｓ２０６の判定はＮＯとなり、次に、目的地に到着したか否かを判定する（Ｓ２１０）。本実施形態では、車両のシフトレバーがパーキング（Ｐ）に位置することを示す信号が入力されたか否かに基づいて目的地に到着したと判定する。
【００４５】
車両のシフトレバーがパーキング（Ｐ）に位置していない場合、Ｓ２１０の判定はＮＯとなり、Ｓ２０６へ戻る。
【００４６】
そして、車両が目的地に到着する前に車両が目的地候補地点周辺から逸脱すると、Ｓ２０６の判定はＮＯとなり、次に、車両用エアコン２の運転を再開させ（Ｓ２０８）、Ｓ２００へ戻る。具体的には、車両用エアコン２の運転を指示する信号をエアコン制御部２０へ送出する。これにより、車両用エアコン２のエアコンスイッチがオンして送風も開始され、車両用エアコン２の運転状態は、動作状態となる。
【００４７】
そして、再度、車両がハードディスクに記憶された別の目的地候補地点までの間隔が一定値以内となる一定領域に位置すると、Ｓ２０２の判定はＹＥＳとなり、車両用エアコンの運転を停止させる。
【００４８】
そして、車両が目的地候補地点周辺から逸脱することなく、車両のシフトレバーがパーキング（Ｐ）に位置することを示す信号が入力されると、Ｓ２０６、Ｓ２１０の各判定はＹＥＳとなり、本処理を終了する。
【００４９】
上記した構成によれば、車両が停車した地点を目的地候補地点としてハードディスクドライブに記憶させ、車両の現在位置および記憶手段に記憶された目的地候補地点に基づいて、車両が、特定の目的地候補地点までの間隔が一定値以内となる一定領域内に位置することを判定した場合に、車両用エアコンの運転が停止されるので、車両用エアコンの消費エネルギーの低減を図ることができる。更に、車両の行き先が、特定の目的地候補地点と異なることを推定した場合に、車両用エアコンの運転が再開されるので、例えば、走行途中で目的地が変更となり先に設定した目的地を通過して別の目的地に向かうような場合であっても、車両用エアコンの運転を再開させる操作が不要であり、より快適に車両用エアコンの切替制御を行うことができる。
【００５０】
また、車両の現在位置および記憶手段に記憶された目的地候補地点に基づいて、車両が、特定の目的地候補地点までの間隔が一定値以内となる一定領域内に位置することを判定した場合に、車両用エアコンの運転が停止されるので、目的地を設定するための操作を必要とすることなく、車両用エアコンの消費エネルギーの低減を図りつつ、より快適に車両用エアコンの切替制御を行うことができる。
【００５１】
また、車両用エアコンの運転が再開された後、再度、車両が記憶手段に記憶された特定の目的地候補地点までの間隔が一定値以内となる一定領域に位置することを判定した場合、車両用エアコンの運転が停止されるので、新たな目的地の設定操作を実施することなく、車両用エアコンの運転が自動的に停止され、車両用エアコンの消費エネルギーを低減することが可能である。
【００５２】
（第２実施形態）
上記第１実施形態では、Ｓ２０６にて、車両が、目的地候補地点Ａからの距離が一定値以内となる一定領域から逸脱したことを判定した場合に、車両が目的地候補地点周辺から逸脱したと判定したが、本実施形態では、車両の走行軌跡に基づいて、図６に示すように、車両が目的地候補地点Ａから離れる方向に走行していることを判定した場合、車両が特定の目的地候補地点周辺から逸脱したと推定する。なお、車両が目的地候補地点Ａから離れる方向に走行するとは、目的地候補地点Ａに接続された道路を逆方向に走行することを意味する。
【００５３】
（その他の実施形態）
上記実施形態では、Ｓ２０２にて車両が目的地候補地点周辺に到達したと判定されると、Ｓ２０４にて車両用エアコンの運転を停止させたが、必ずしも停止させる必要はなく、例えば、車両用エアコンの運転状態を通常状態よりも消費電力の少ない低消費電力状態に切り替えるようにしてもよい。同様に、Ｓ２０６にて車両が目的地に到着する前に車両が目的地候補地点周辺から逸脱したと判定した場合、Ｓ２０８にて、車両用エアコンの運転状態を低消費電力状態から通常状態に切り戻すようにしてもよい。すなわち、「エアコンスイッチをオンして送風している状態からエアコンスイッチをオフして送風も停止させた状態にする」、「エアコンスイッチをオンして送風している状態からエアコンスイッチをオフして送風している状態にする」、「エアコンスイッチをオフして送風している状態からエアコンスイッチをオフしたまま送風を停止させた状態にする」など、より消費電力が少なくなる状態にして、通常状態よりも消費電力の少ない低消費電力状態とすることができる。なお、冷房時に、エアコンスイッチをオンして送風している状態から当該エアコンスイッチをオフして送風している状態に切り替えても、しばらくの間、冷風が吹き出されるため、車両用エアコンの消費電力の低減を図りつつ、比較的長い時間、車室内の快適性を維持することが可能である。また、暖房時には、エアコンスイッチをオンして送風している状態から当該エアコンスイッチをオフして送風している状態に切り替えても、しばらくの間、車室内の温度は維持されるため、車両用エアコンの消費電力の低減を図りつつ、比較的長い時間、車室内の快適性を維持することが可能である。
【００５４】
また、上記第１実施形態では、車両の現在位置および車両停車特定情報に基づいて車両が停車した地点を特定し、当該車両が停車した地点を目的地候補地点としてハードディスクドライブに記憶させ、Ｓ２０２にて、車両が、ハードディスクドライブに記憶された特定の目的地候補地点までの直線距離が一定値以内となる一定領域内に位置することを判定した場合、車両用エアコンの運転を停止させ、Ｓ２０６にて、車両が、目的地候補地点周辺から逸脱したか否かに基づいて、車両の行き先が目標とする地点と異なると推定した場合、車両用エアコンの運転を再開させる構成を示したが、このように車両が過去に停車した地点を学習することなく、車両の行き先が目標とする地点と異なることを推定した場合に、車両用エアコンの運転を再開させるようにしてもよい。例えば、車両の現在位置から目的地に至る案内経路を探索し、Ｓ２０６にて、車両が、案内経路から離脱したことを判定した場合、車両の行き先が、目標とする地点と異なると推定してもよく、また、案内経路に従って走行案内を実施している途中で、経路案内の中止を指示する操作が行われたことを判定した場合に、車両の行き先が、目標とする地点と異なると推定してもよい。
【００５５】
また、上記実施形態では、Ｓ２０２にて、車両がハードディスクドライブに記憶された特定の目的地候補地点までの直線距離が一定値以内となる一定領域に位置するか否かに基づいて車両が特定の目的地周辺に到達したか否かを判定したが、例えば、車両がハードディスクドライブに記憶された特定の目的地候補地点までの道なり距離が一定値以内となる一定領域に位置するか否かに基づいて車両が特定の目的地周辺に到達したか否かを判定してもよい。また、車両がハードディスクドライブに記憶された特定の目的地候補地点までの所要時間が一定値以内となる一定領域に位置するか否かに基づいて車両が特定の目的地周辺に到達したか否かを判定してもよい。
【００５６】
また、上記第１、第２実施形態では、一般的な車両用エアコンを例に、車両用エアコンの運転制御を行うエアコン制御装置について説明したが、例えば、走行中に蓄冷材を冷却し、エンジン停止時でも冷風を供給して車室内の温度を快適に保つことが可能な蓄冷式エアコンの運転制御を行うエアコン制御装置として構成してもよい。
【００５７】
また、上記第１実施形態では、Ｓ２０６にて、車両が、目的地候補地点Ａからの距離が一定値以内となる一定領域から逸脱したことを判定した場合に、車両が目的地候補地点周辺から逸脱したと判定したが、車両の現在位置から目的地に至る案内経路を探索し、車両の自車位置が案内経路から離脱したことを判定した場合、車両が特定の目的地候補地点周辺から逸脱したと推定するようにしてもよい。また、車両の現在位置から目的地に至る案内経路を探索するとともに、案内経路に従って経路案内を行うようにし、経路案内の中止を指示する操作が行われたことを判定した場合、車両が特定の目的地候補地点周辺から逸脱したと推定するようにしてもよい。
【００５８】
また、上記第１実施形態では、Ｓ１００にて車両停車特定情報として車速情報を取得し、Ｓ１０２にて車速情報に基づいて車両が停車した状態（時速０キロメートルの状態）が一定時間（例えば、５分）以上継続した場合に、目的地条件を満たすと判定したが、例えば、Ｓ１００にて車両停車特定情報として車両の自車位置を取得し、Ｓ１０２にて車両の自車位置が一定時間（例えば、５分）以上変化しない状況が継続した場合に、目的地条件を満たすと判定してもよく、また、ユーザ操作により目的地設定された場所、あるいはＥＴＣカードが抜去された場所を目的地とし、目的地条件を満たすと判定してもよい。また、車両のシフトレバーがＲレンジに位置することを示す信号、サイドブレーキが操作されたことを示す信号等を車両停車特定情報として取得し、この取得した車両停車特定情報に基づいて目的地条件を満たすか否かを判定してもよい。
【００５９】
なお、上記実施形態における構成と特許請求の範囲の構成との対応関係について説明すると、位置検出器１０より入力される現在位置を特定するための情報に基づいて自車位置を特定する自車位置特定処理が現在位置特定手段に相当し、Ｓ１００が車両停車特定情報取得手段に相当し、Ｓ１０４が目的地候補地点記憶手段に相当し、Ｓ２０２、Ｓ２０４が第１の運転状態切替手段に相当し、Ｓ２０６、Ｓ２０８が第２の運転状態切替手段に相当し、出発地から目的地に至る案内経路を探索する経路探索処理が経路探索手段に相当し、案内経路に従って経路案内を行う経路案内処理が経路案内手段に相当する。
【符号の説明】
【００６０】
１    ナビゲーション装置
２    車両用エアコン
１０  位置検出器
１１  地図データ取得部
１２  表示装置
１３  操作部
１４  制御部
２０  エアコン制御部
【図１】
2010264938.tif 000003
【図２】
2010264938.tif 000004
【図３】
2010264938.tif 000005
【図４】
2010264938.tif 000006
【図５】
2010264938.tif 000007
【図６】
2010264938.tif 000008